(57)【要約】【課題】より高い利便性を有する電子機器、及び放送信号の送信装置を提供する。【解決手段】一実施形態に係る電子機器は、ＵＲＬを含む番組情報を含む信号を受信する受信モジュールと、前記番組情報から前記ＵＲＬを検出する検出モジュールと、前記ＵＲＬが検出された場合、前記ＵＲＬが前記番組情報に含まれている事をユーザに報知するためのＧＵＩを生成するＧＵＩ生成モジュールと、を具備する。【選択図】図２
2014036419.tif 000002
【特許請求の範囲】
【請求項１】
ＵＲＬを含む番組情報を含む信号を受信する受信モジュールと、
前記番組情報から前記ＵＲＬを検出する検出モジュールと、
前記ＵＲＬが検出された場合、前記ＵＲＬが前記番組情報に含まれている事をユーザに報知するためのＧＵＩを生成するＧＵＩ生成モジュールと、
を具備する電子機器。
【請求項２】
前記検出モジュールは、識別子を前記番組情報から検出し、検出された前記識別子に基づいて前記ＵＲＬを検出する請求項１に記載の電子機器。
【請求項３】
前記ＧＵＩ生成モジュールは、前記ＵＲＬが検出された場合、前記ＵＲＬが前記番組情報に含まれている事をユーザに報知するための記号を前記ＧＵＩに含める、請求項２に記載の電子機器。
【請求項４】
前記検出モジュールは、検出された前記識別子に基づいて、前記ＵＲＬ上のファイルの種別を判別し、
前記ＧＵＩ生成モジュールは、前記検出モジュールにより判別された前記ＵＲＬ上のファイルの種別に応じて、異なる種類の記号を前記ＧＵＩに含める、
請求項３に記載の電子機器。
【請求項５】
前記ＧＵＩ生成モジュールは、前記ＵＲＬが検出された場合、前記ＵＲＬの文字列を検出された前記番組情報から削除し、前記ＵＲＬの文字列が削除された前記番組情報を前記ＧＵＩに挿入する、請求項３に記載の電子機器。
【請求項６】
前記ＧＵＩ生成モジュールは、前記電子機器により前記ＵＲＬへのアクセスが可能であるか否か判定し、この判定結果に基づいて、前記記号の表示を切り替える、請求項３に記載の電子機器。
【請求項７】
前記ＧＵＩは電子番組表である請求項１乃至請求項６のいずれかに記載の電子機器。
【請求項８】
複数局の番組のコンテンツのストリームと、前記各番組の番組情報とを重畳し、放送信号として出力する放送信号の送信装置であって、
前記番組情報を生成する生成モジュールと、
前記番組情報中のＵＲＬの位置を示す識別子を前記番組情報に埋め込む埋め込みモジュールと、
前記識別子が埋め込まれた前記番組情報と、前記ストリームとを重畳し、放送信号を生成する重畳モジュールと、
前記放送信号を出力する出力モジュールと、
を具備する放送信号の送信装置。
【請求項９】
前記埋め込みモジュールは、前記ＵＲＬ上のファイルの種別に応じて異なる識別子を前記番組情報に埋め込む、
請求項８に記載の送信装置。
【発明の詳細な説明】
【技術分野】
【０００１】
本発明の実施形態は、電子機器及び放送信号の送信装置に関する。
【背景技術】
【０００２】
従来、放送信号を受信し、受信した放送信号に含まれている番組などの映像コンテンツを再生することができる例えば放送受信装置などの電子機器が一般的に普及している。また、ネットワークに接続する為の端子を備え、ネットワーク上のアドレスにアクセスすることができる機能を備えた電子機器が一般的に普及している。
【０００３】
また、種々の情報を表示するディスプレイと、ユーザによる操作に応じて信号を生成するタッチセンサとを備え、タッチセンサにより生成された信号を上記のようなコンテンツ再生装置に無線により伝送し、コンテンツ再生装置を遠隔操作する電子機器が実用化されている。
【先行技術文献】
【特許文献】
【０００４】
【特許文献１】特開２００８−５４０６５号公報
【発明の概要】
【発明が解決しようとする課題】
【０００５】
また、電子機器は、信号（例えば放送信号）中の所定のパケットに含まれている複数の番組に関する情報（番組情報）に基づいて、各番組の詳細情報、及び電子番組表（ＥＰＧ）などを表示することができる。しかし、放送信号中の番組情報は、通常受信機で記録して使用するために、受信機記憶容量との関係から容量の制限がある。この為、番組情報を追加することができない可能性があるという課題がある。
【０００６】
本発明の目的は、より高い利便性を有する電子機器及び放送信号の送信装置を提供することである。
【課題を解決するための手段】
【０００７】
一実施形態に係る電子機器は、ＵＲＬを含む番組情報を含む信号を受信する受信モジュールと、前記番組情報から前記ＵＲＬを検出する検出モジュールと、前記ＵＲＬが検出された場合、前記ＵＲＬが前記番組情報に含まれている事をユーザに報知するためのＧＵＩを生成するＧＵＩ生成モジュールと、を具備する。
【図面の簡単な説明】
【０００８】
【図１】図１は、一実施形態に係る電子機器について説明する為の図である。
【図２】図２は、一実施形態に係る電子機器について説明する為の図である。
【図３】図３は、一実施形態に係る電子機器について説明する為の図である。
【図４】図４は、一実施形態に係る電子機器について説明する為の図である。
【図５】図５は、一実施形態に係る電子機器について説明する為の図である。
【図６】図６は、一実施形態に係る電子機器について説明する為の図である。
【発明を実施するための形態】
【０００９】
以下、図を参照しながら、一実施形態に係る電子機器、及び放送信号の送信装置について詳細に説明する。
【００１０】
図１は、複数の電子機器により構成されるシステムの例を示す。本システムは、例えば、放送受信装置１００、携帯端末２００、及び無線通信端末３００などを有する。
【００１１】
放送受信装置１００は、例えば、放送信号などの信号、または記憶媒体に記憶されている映像コンテンツなどを再生することができるＴＶなどの電子機器である。また、放送受信装置１００は、リモートコントローラ１６３、携帯端末２００、及び無線通信端末３００と通信する通信手段を備える。
【００１２】
携帯端末２００は、ディスプレイ、操作手段、及び通信手段を備える電子機器である。携帯端末２００は、例えば、携帯電話端末、タブレット型ＰＣ、携帯音楽プレイヤー、または他の電子機器である。
【００１３】
無線通信端末３００は、携帯端末２００、及び無線通信端末３００と無線通信する通信手段を備える。例えば、無線通信端末３００は、無線通信のアクセスポイントとして機能する。即ち、無線通信端末３００は、放送受信装置１００と無線、またはＬＡＮケーブルなどの通信ケーブルにより通信することができる。
【００１４】
また、無線通信端末３００は、携帯端末２００と無線により通信することができる。即ち、放送受信装置１００、携帯端末２００、及び無線通信端末３００は、双方向通信可能な通信プロトコル（例えばＩＰ）経由で接続されている。
【００１５】
また、無線通信端末３００は、外部のネットワークに接続することができる。即ち、無線通信端末３００は、放送受信装置１００または携帯端末２００からのリクエストに応じてインターネットにアクセスし、リクエストにより示されたアドレスにアクセスすることができる。
【００１６】
例えば、放送受信装置１００及び携帯端末２００は、ＩＥＥＥ８０２．１１ｂ／ｇ／ｎなどにより無線通信端末３００と通信を行なう機能を備える。また、放送受信装置１００及び携帯端末２００は、互いに直接通信を行なう機能を備えていてもよい。即ち、放送受信装置１００と携帯端末２００とは、無線通信端末３００経由、または直接データを送受信することができる。
【００１７】
なお、携帯端末２００は、無線通信により放送受信装置１００に制御信号を送信することができる。即ち、携帯端末２００は、放送受信装置１００（制御される機器）を制御する制御機器として機能することができる。なお、制御される機器を被制御機器と称する。放送受信装置１００（被制御機器）は、制御する側である制御機器からの制御信号（制御コマンド）に応じた処理を実行する。
【００１８】
図２は、一実施形態に係る放送受信装置１００の例を示す。  
放送受信装置１００は、放送信号入力端子１１０、チューナ１１１、復調モジュール１１２、信号処理モジュール１１３、音声処理モジュール１２１、映像処理モジュール１３１、表示処理モジュール１３３、制御モジュール１５０、操作入力モジュール１６１、受光モジュール１６２、ＬＡＮコネクタ１７１、無線通信モジュール１７２、及びＨＤＭＩ端子１７３を備える。また、放送受信装置１００は、さらにスピーカ１２２及びディスプレイ１３４を備える。
【００１９】
送信装置４００は、複数局の番組のコンテンツのストリーム及び各番組の番組情報などを重畳し、放送信号として出力する。番組情報は、例えばテキストデータを含む情報である。番組情報は、各番組の放送局を示す情報、放送時間を示す情報、番組のジャンルを示す情報、番組の概要を示す情報（番組概要）、及び番組の詳細を示す情報（番組詳細情報）などを含む。送信装置４００は、これらの情報を規定のフォーマットに基づいてパケット化し、放送信号の一部として出力することができる。
【００２０】
チャンネル名及びチャンネルに関する属性情報は、ＳＤＴと称されるＳｅｒｖｉｃｅ  Ｉｎｆｏｒｍａｔｉｏｎ（ＳＩ）のテーブルにより放送信号中に格納される。また、番組に関する属性情報は、ＥＩＴと称されるＳＩのテーブルにより放送信号中に格納される。送信装置４００は、通常、１週間分の番組情報を放送信号中に格納し、送出する。
【００２１】
放送受信装置１００は、放送信号を送信する送信装置４００から送信された放送信号を受信する。放送受信装置１００は、受信した放送信号を選局及び復調する。これにより、放送受信装置１００は、放送信号から番組などのコンテンツのストリームを取得することができる。さらに、放送受信装置１００は、放送信号に含まれている各番組の番組情報を取得することができる。
【００２２】
放送信号入力端子１１０は、例えばアンテナ１０１により受信されたディジタル放送信号を受け取ることができる。アンテナ１０１は、例えば、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号を受信することができる。放送信号入力端子１１０は、上記したディジタル放送信号により供給される番組などのコンテンツのデータを受け取ることができる。
【００２３】
放送信号入力端子１１０は、受信したディジタル放送信号をチューナ１１１に供給する。チューナ１１１は、ディジタル放送信号用のチューナである。チューナ１１１は、チューニングしたディジタル放送信号を復調モジュール１１２に送信する。
【００２４】
復調モジュール１１２は、受信したディジタル放送信号を復調する。これにより、復調モジュール１１２は、ディジタル放送信号からトランスポートストリーム（ＴＳ）などのコンテンツデータを取得する。復調モジュール１１２は、取得したコンテンツデータを信号処理モジュール１１３に入力する。即ち、アンテナ１０１、チューナ１１１、及び復調モジュール１１２は、コンテンツデータを受信する受信手段として機能する。
【００２５】
信号処理モジュール１１３は、コンテンツデータの分離などの信号処理を行う。即ち、信号処理モジュール１１３は、コンテンツデータをディジタル映像信号、ディジタル音声信号、及びその他のデータ信号（例えば番組情報など）に分離する。信号処理モジュール１１３は、音声処理モジュール１２１に音声信号を供給する。また、信号処理モジュール１１３は、映像処理モジュール１３１に映像信号を供給する。さらに、信号処理モジュール１１３は、制御モジュール１５０にＳＩ等のデータ信号を供給する。
【００２６】
音声処理モジュール１２１は、信号処理モジュール１１３から受信したディジタル音声信号を、スピーカ１２２により再生可能なフォーマットの信号（オーディオ信号）に変換する。例えば、音声処理モジュール１２１は、ディジタル音声信号をディジタル／アナログ変換によりオーディオ信号に変換する。音声処理モジュール１２１は、オーディオ信号をスピーカ１２２に供給する。スピーカ１２２は、供給されるオーディオ信号に基づいて音を再生する。
【００２７】
映像処理モジュール１３１は、信号処理モジュール１１３から受信したディジタル映像信号を、ディスプレイ１３４で再生可能なフォーマットの映像信号に変換する。即ち、映像処理モジュール１３１は、信号処理モジュール１１３から受信したディジタル映像信号を、ディスプレイ１３４で再生可能なフォーマットの映像信号にデコード（再生）する。映像処理モジュール１３１は、映像信号を表示処理モジュール１３３に出力する。
【００２８】
表示処理モジュール１３３は、例えば、制御モジュール１５０からの制御に基づいて、受信した映像信号に対して色味、明るさ、シャープ、コントラスト、またはその他の画質調整処理を行う。表示処理モジュール１３３は、画質調整を施した映像信号をディスプレイ１３４に供給する。ディスプレイ１３４は、供給される映像信号に基づいて映像を表示する。
【００２９】
ディスプレイ１３４は、例えば、マトリクス状に配列された複数の画素を備える液晶表示パネルと、この液晶パネルを照明するバックライトとを備える液晶表示装置などを備える。ディスプレイ１３４は、表示処理モジュール１３３から供給される映像信号に基づいて映像を表示する。
【００３０】
制御モジュール１５０は、放送受信装置１００の各モジュールの動作を制御する制御手段として機能する。制御モジュール１５０は、ＣＰＵ１５１、ＲＯＭ１５２、ＲＡＭ１５３、及び不揮発性メモリ１５４などを備えている。制御モジュール１５０は、操作入力モジュール１６１から供給される操作信号に基づいて、種々の処理を行う。
【００３１】
ＣＰＵ１５１は、種々の演算処理を実行する演算素子などを備える。ＣＰＵ１５１は、ＲＯＭ１５２、または不揮発性メモリ１５４などに記憶されているプログラムを実行することにより種々の機能を実現する。
【００３２】
ＲＯＭ１５２は、放送受信装置１００を制御する為のプログラム、及び各種の機能を実現する為のプログラムなどを記憶する。ＣＰＵ１５１は、操作入力モジュール１６１から供給される操作信号に基づいて、ＲＯＭ１５２に記憶されているプログラムを起動する。これにより、制御モジュール１５０は、各モジュールの動作を制御する。
【００３３】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００３４】
不揮発性メモリ１５４は、各種の設定情報、及びプログラムなどを記憶する不揮発性メモリである。
【００３５】
制御モジュール１５０は、ディスプレイ１３４に表示させる映像に重畳させて表示させる種々の表示を生成することができる。この表示は、例えば、設定メニュー、番組情報、及び電子番組表などである。制御モジュール１５０は、操作入力に基づいて、設定メニューなどをディスプレイ１３４に表示させることができる。また、制御モジュール１５０は、信号処理モジュール１１３から供給されたデータ信号に基づいて、表示用の番組情報、及び電子番組表などを生成することができる。
【００３６】
操作入力モジュール１６１は、例えば、ユーザによる操作入力に応じて操作信号を生成する操作キー、またはタッチパッドなどを備える。また、操作入力モジュール１６１は、キーボード、マウス、または操作信号を生成する事ができる他の入力装置などから操作信号を受け取る構成であってもよい。操作入力モジュール１６１は、操作信号を制御モジュール１５０に供給する。
【００３７】
なお、タッチパッドは、静電容量式センサ、または他の方式に基づいて位置情報を生成するデバイスを含む。
【００３８】
受光モジュール１６２は、例えば、リモートコントローラ１６３からの操作信号を受信するセンサなどを備える。受光モジュール１６２は、受信した信号を制御モジュール１５０に供給する。制御モジュール１５０は、受光モジュール１６２から供給された信号を受信し、受信した信号を増幅させてＡ／Ｄ変換を行うことにより、リモコン１６３から送信された元の操作信号を復号する。
【００３９】
リモートコントローラ１６３は、ユーザの操作入力に基づいて操作信号を生成する。リモートコントローラ１６３は、例えば、電源キー、チャンネルキー、ボリュームキー、カーソルキー、及びカラーキーなどを有する。リモートコントローラ１６３は、それぞれのキーの操作に応じて操作信号を生成し、生成した操作信号を出力する。リモートコントローラ１６３は、生成した操作信号を赤外線通信により受光モジュール１６２に送信する。
【００４０】
ＬＡＮコネクタ１７１は、ＬＡＮ経由でインターネット、イントラネット、またはホームネットワークなどのネットワーク上の他の機器と通信を行なう為のインターフェースである。上記したように、無線通信端末３００とＬＡＮコネクタ１７１とがＬＡＮケーブルにより接続された場合、放送受信装置１００は、無線通信端末３００に接続されている他の機器と通信することができる。例えば、放送受信装置１００は、ＬＡＮコネクタ１７１によりネットワーク上の機器に記録されているコンテンツを取得し、再生することができる。ＬＡＮコネクタ１７１に後述の無線通信モジュール１７２と同等の機能を有した外付け無線通信装置（図示せず）を装着して、無線通信端末３００と無線接続することも可能である。また、放送受信装置１００は、コンテンツデータをＬＡＮコネクタ１７１により接続される機器に出力することが出来る。
【００４１】
無線通信モジュール１７２は、無線ＬＡＮ経由でアクセスポイントとしての無線通信端末３００と通信を行なう為のインターフェースである。無線通信モジュール１７２は、無線通信端末３００経由でインターネット、イントラネット、またはホームネットワークなどのネットワーク上の他の機器と通信を行なうことができる。
【００４２】
上記したように、無線通信端末３００と無線通信モジュール１７２とが無線ＬＡＮにより接続された場合、放送受信装置１００は、無線通信端末３００に接続されている他の機器と通信することができる。無線通信モジュール１７２は、無線通信端末３００を介さずに他の機器と直接無線ＬＡＮにより通信する構成であってもよい。
【００４３】
ＨＤＭＩ端子１７３は、ＨＤＭＩ（High Definition Multimedia Interface）（登録商標）などの規格に基づいた通信を行なう為のインターフェースである。ＨＤＭＩ端子１７３には、ハードディスクレコーダ、または他の機器でありＨＤＭＩに対応した機器が接続される。
【００４４】
制御モジュール１５０は、ＨＤＭＩ端子１７３により受信したコンテンツデータを信号処理モジュール１１３に入力させる。
【００４５】
なお、現状の放送信号は、フォーマットが定められている為、伝送可能なデジタル情報容量の制限があり、その大半はデジタル映像信号が占めている。また、電子番組表（ＥＰＧ）などを構成するための個々の番組の属性情報を示す番組情報は、放送波の有効利用目的から、再送周期が比較的長いため、ユーザ操作のレスポンスをよくするために通常は受信機に記憶させて使用させることが多い。この為、受信機での番組情報の記憶容量と放送信号で伝送可能なデジタル情報の容量等の制限から番組情報を追加することができない可能性があるという背景がある。そこで、送信装置４００は、インターネット上に番組に関するより詳細な情報を公開し、番組情報の中にこの詳細な情報が公開されているインターネット上のＵＲＬ（Ｕｎｉｆｏｒｍ  Ｒｅｓｏｕｒｃｅ  Ｌｏｃａｔｏｒ）を埋め込むことができる。これにより、さらに多様な情報をユーザに提供することができる。
【００４６】
例えば、送信装置４００は、入力された情報に応じて番組情報の中にＵＲＬを挿入することができる。さらに、送信装置４００は、番組情報の中にＵＲＬが挿入されている場合、挿入されたＵＲＬを検出することができる。さらに、送信装置４００は、ＵＲＬの前、後ろ、または前後に何らかのルールにより区別をするための記号 (以下、識別子）を自動的に挿入することができる。なお、当該識別子には文字が含まれていてもよい。これにより、放送受信装置１００は、上記の識別子を検出することにより、番組情報に埋め込まれたＵＲＬを取得することができる。
【００４７】
図３は、放送受信装置１００による番組表を作成する処理の例を示す。  
放送受信装置１００のチューナ１１１及び復調モジュール１１２は、放送信号を受信し、受信した放送信号を復調する（ステップＳ１１）。放送受信装置１００の信号処理モジュール１１３は、復調された放送信号から番組情報を取得する（ステップＳ１２）。これにより、制御モジュール１５０は、複数の番組ごとの番組情報を取得することができる。
【００４８】
さらに、放送受信装置１００の制御モジュール１５０は、複数の番組情報のうちの１つを選択する（ステップＳ１３）。制御モジュール１５０は、選択した番組情報を解析する（ステップＳ１４）。これにより、制御モジュール１５０は、番組情報から各番組の放送局を示す情報、放送時間を示す情報、番組のジャンルを示す情報、番組の概要を示す情報（番組概要）、及び番組の詳細を示す情報（番組詳細情報）などを取得することができる。これにより、制御モジュール１５０は、電子番組表の中の１つの番組の欄を生成することができる。
【００４９】
さらに、制御モジュール１５０は、番組情報内に埋め込まれたＵＲＬを検出することができる。送信装置４００は、例えば、ＵＲＬを番組概要に埋め込む。この場合、送信装置４００は、ＵＲＬを放送受信装置１００に検出させる為の識別子をＵＲＬの前後に埋め込む。例えば、送信装置４００は、「☆☆」をＵＲＬを識別するための識別子としてＵＲＬの前後にテキスト情報として埋め込む。放送受信装置１００は、番組情報から識別子「☆☆」検出し、２つの識別子「☆☆」により囲まれた文字列をＵＲＬと認識する。なお、識別子として挿入される「☆☆」は一例である。即ち、放送受信装置１００及び送信装置４００は、他の文字列を識別子として扱う構成であってもよい。
【００５０】
制御モジュール１５０は、選択した番組情報の中にＵＲＬが挿入されているか否か判定する（ステップＳ１５）。即ち、制御モジュール１５０は、番組情報から識別子「☆☆」を検出したか否か判定する。
【００５１】
ＵＲＬが検出された場合、制御モジュール１５０は、ステップＳ１４で生成した１つの番組欄に、ＷＥＢのリンク（即ちＵＲＬ）が挿入されていることを示すマーク（記号）を表示させる（ステップＳ１６）。
【００５２】
さらに、制御モジュール１５０は、番組表の生成が完了したか否か判定する（ステップＳ１７）。例えば、制御モジュール１５０は、予め設定された時間枠内の番組表が生成された場合、番組表の生成が完了したと判定する構成であってもよい。また、制御モジュール１５０は、１つの画面で表示される範囲の番組表が生成された場合、番組表の生成が完了したと判定する。またさらに、制御モジュール１５０は、受信した全ての番組情報に対応する番組表が生成された場合、番組表の生成が完了したと判定する。
【００５３】
制御モジュール１５０は、番組表の生成が完了したと判定した場合、生成した番組表をＲＡＭ１５３に保存する（ステップＳ１８）。制御モジュール１５０は、操作入力に応じて、保存した電子番組表をディスプレイ１３４に表示させることができる。
【００５４】
例えば、番組表を表示する操作が放送受信装置１００に入力された場合、制御モジュール１５０は、図４に示された電子番組表（ＥＰＧ）４０１をディスプレイ１３４に表示させるように画像を生成する。電子番組表４０１は、ＧＵＩ（Ｇｒａｐｈｉｃａｌ  Ｕｓｅｒ  Ｉｎｔｅｒｆａｃｅ）の一種である。
【００５５】
なお、ＧＵＩは、電子番組表、番組情報表示、及び各種メニューなどのディスプレイ１３４上にグラフィカルに表示されるものを含む。制御モジュール１５０は、ＧＵＩをディスプレイ１３４に表示させるように映像を生成することにより、種々の情報をユーザに知らせることができる。
【００５６】
電子番組表４０１は、各時間帯に放送される番組の各放送局ごとの一覧の表示を含む。また、番組情報にＵＲＬが挿入されていた場合、制御モジュール１５０は、番組欄にマークを表示させる。即ち、制御モジュール１５０は、ＵＲＬが検出された場合、ＵＲＬが番組情報に含まれている事をユーザに報知するためのＧＵＩを生成する。
【００５７】
なお、制御モジュール１５０は、ＵＲＬが示すアドレス上のファイルの種別に応じて、異なるマークを表示させる。
【００５８】
例えば、リンク先のファイルがＨＴＭＬファイル（即ち、ＨＴＭＬブラウザにより表示するファイル）である場合、制御モジュール１５０は、マーク４０２として「Ｈ」を番組欄に表示させる。
【００５９】
また、リンク先のファイルがＢＭＬファイル（即ち、ＢＭＬブラウザにより表示するファイル）である場合、制御モジュール１５０は、マーク４０３として「ｄ」を番組欄に表示させる。
【００６０】
また、リンク先のファイルが動画ストリームである場合、制御モジュール１５０は、マーク４０４として「Ｖ」を番組欄に表示させる。
【００６１】
また、リンク先のファイルが音声ストリームである場合、制御モジュール１５０は、マーク４０５として「Ａ」を番組欄に表示させる。
【００６２】
制御モジュール１５０は、例えば、リンク先のファイルの拡張子に基づいてリンク先のファイルの種別を判別する。また、制御モジュール１５０は、番組情報内の識別子に基づいてリンク先のファイルの種別を判別する構成であってもよい。
【００６３】
送信装置４００は、リンク先のファイルの種別に応じて、番組情報内のＵＲＬの前後に挿入する識別子の種類を選択する。
【００６４】
例えば、リンク先のファイルがＨＴＭＬファイル（即ち、ＨＴＭＬブラウザにより表示するファイル）である場合、送信装置４００は、識別子として「☆☆Ｈ」をＵＲＬの前後に挿入する。放送受信装置１００の制御モジュール１５０は、識別子「☆☆Ｈ」が挿入されている場合、マーク「Ｈ」を番組欄に表示させる。
【００６５】
また、リンク先のファイルがＢＭＬファイル（即ち、ＢＭＬブラウザにより表示するファイル）である場合、送信装置４００は、識別子として「☆☆Ｂ」をＵＲＬの前後に挿入する。放送受信装置１００の制御モジュール１５０は、識別子「☆☆Ｂ」が挿入されている場合、マーク「Ｂ」を番組欄に表示させる。
【００６６】
また、リンク先のファイルが動画ストリームである場合、送信装置４００は、識別子として「☆☆Ｖ」をＵＲＬの前後に挿入する。放送受信装置１００の制御モジュール１５０は、識別子「☆☆Ｖ」が挿入されている場合、マーク「Ｖ」を番組欄に表示させる。
【００６７】
また、リンク先のファイルが音声ストリームである場合、送信装置４００は、識別子として「☆☆Ａ」をＵＲＬの前後に挿入する。放送受信装置１００の制御モジュール１５０は、識別子「☆☆Ａ」が挿入されている場合、マーク「Ａ」を番組欄に表示させる。
【００６８】
またさらに、ＵＲＬを放送受信装置１００に番組情報内に表示させない場合、送信装置４００は、識別子として「☆☆Ｕ」をＵＲＬの前後に挿入する。この場合、放送受信装置１００の制御モジュール１５０は、マーク「Ｈ」を番組欄に表示させ、番組情報内の識別子「☆☆Ｕ」により囲まれたＵＲＬの記載を削除する。
【００６９】
また、識別子「☆☆Ｕ」は、他の識別子と組み合わされてもよい。例えば、リンク先のファイルが動画ストリームであるＵＲＬを放送受信装置１００に番組情報内に表示させない場合、送信装置４００は、識別子として「☆☆ＵＶ」をＵＲＬの前後に挿入する。この場合、放送受信装置１００の制御モジュール１５０は、マーク「Ｖ」を番組欄に表示させ、番組情報内の識別子「☆☆ＵＶ」により囲まれたＵＲＬの記載を削除する。このように、放送受信装置１００は、番組情報内の識別子に応じて、番組情報内のＵＲＬの記載を削除することができる。
【００７０】
制御モジュール１５０は、操作入力に応じて、番組表４０１に表示されている複数の番組欄のうちの１つを選択する。図４の例によると、「０４１ｃｈ」のＡＭ１１時からの番組の番組欄４０６が選択された状態となっている。
【００７１】
この場合、放送受信装置１００は、リモートコントローラ１６３のカラーキーの入力に応じて種々の処理を実行する。例えば、制御モジュール１５０は、案内表示４０７に従い青のカラーキーが選択された場合、放送受信装置１００により選択されている番組欄の番組情報内のＵＲＬにアクセスして、指定のＵＲＬ先の情報を表示させる。
【００７２】
さらに、制御モジュール１５０は、案内表示４０８に従って赤のカラーキーが選択された場合、携帯端末２００（タブレット）により選択されている番組欄の番組情報内のＵＲＬを携帯端末２００（タブレット）に送信し、指定のＵＲＬ先の情報を表示させる。
【００７３】
即ち、制御モジュール１５０は、１つの番組欄を選択している状態で所定のカラーキーが選択された場合、選択している番組欄の番組情報内のＵＲＬに放送受信装置１００または携帯端末２００によりアクセスする。
【００７４】
またさらに、ＵＲＬに放送受信装置１００とは異なる他の機器（例えば、携帯端末２００）によりアクセスさせる場合、送信装置４００は、識別子として「☆☆Ｓ」をＵＲＬの前後に挿入する構成であってもよい。この場合、放送受信装置１００の制御モジュール１５０は、マーク「Ｈ」を番組欄に表示させる。
【００７５】
また、識別子「☆☆Ｓ」は、他の識別子と組み合わされてもよい。例えば、リンク先のファイルが動画ストリームであるＵＲＬを放送受信装置１００とは異なる他の機器によりアクセスさせる場合、送信装置４００は、識別子として「☆☆ＳＶ」をＵＲＬの前後に挿入する。この場合、放送受信装置１００の制御モジュール１５０は、マーク「Ｖ」を番組欄に表示させる。
【００７６】
即ち、制御モジュール１５０は、選択している番組欄の番組情報内に識別子「☆☆Ｓ」が含まれている場合、識別子により囲まれているＵＲＬに携帯端末２００によりアクセスさせる。
【００７７】
またさらに、１つの番組欄を選択している状態でリモートコントローラの決定ボタンなどが選択された場合、制御モジュール１５０は、図５に示されるような番組指定録画メニュー５０１を生成する。
【００７８】
番組指定録画メニュー５０１は、チャンネル名、放送局名、及び放送日時などを示すウィンドウ５０２を含む。また、番組指定録画メニュー５０１は、番組名、番組のジャンル、番組概要、及び番組の詳細情報などを示すウィンドウ５０３を含む。なお、ウィンドウ５０３は、ＵＲＬの有無及びリンク先のファイルの種別に応じたマークを含む。さらに、番組指定録画メニュー５０１は、録画先、及び録画品質を示すウィンドウ５０４を含む。さらに、番組指定録画メニュー５０１は、案内表示５０５乃至５０８を含む。
【００７９】
案内表示５０５乃至５０８は、それぞれカラーキーの機能を示す表示である。例えば、案内表示５０５は、青のカラーキーが選択された場合、放送受信装置１００によりＵＲＬにアクセスする旨の案内表示である。
【００８０】
案内表示５０６は、赤のカラーキーが選択された場合、ＵＲＬに携帯端末２００（タブレット）によりアクセスする旨の案内表示である。
【００８１】
案内表示５０７は、緑のカラーキーが選択された場合、視聴予約を設定する旨の案内表示である。案内表示５０８は、黄のカラーキーが選択された場合、録画予約を設定する旨の案内表示である。
【００８２】
即ち、制御モジュール１５０は、番組指定録画メニュー５０１の表示中に所定のカラーキーが選択された場合、表示中の番組欄の番組情報内のＵＲＬに放送受信装置１００または携帯端末２００によりアクセスすることができる。
【００８３】
また、制御モジュール１５０は、図６に示されるように、操作入力に応じて、番組６０１の表示中に番組説明のウィンドウ６０２をディスプレイ１３４に表示させる。ウィンドウ６０２は、番組名、番組のジャンル、チャンネル、放送局、及び放送日時などの表示を含む。また、ウィンドウ６０２は、ＵＲＬの有無及びリンク先のファイルの種別に応じたマークを含む。さらに、ウィンドウ６０２は、番組概要、及び番組の詳細情報などを表示する為のウィンドウ６０３を含む。またさらに、ウィンドウ６０２は、案内表示６０４及び６０５を含む。
【００８４】
案内表示６０４及び６０５は、それぞれカラーキーの機能を示す表示である。例えば、案内表示６０４は、青のカラーキーが選択された場合、放送受信装置１００によりＵＲＬにアクセスする旨の案内表示である。案内表示６０５は、赤のカラーキーが選択された場合、ＵＲＬに携帯端末２００（タブレット）によりアクセスする旨の案内表示である。
【００８５】
制御モジュール１５０は、ＵＲＬにアクセスする旨の操作が入力された場合、ＵＲＬ上のファイルにアクセスする。制御モジュール１５０は、ファイルの種別に応じたアプリケーションを用いてファイルを実行する。
【００８６】
上記したように、放送受信装置１００は、放送信号中の番組情報に挿入されているＵＲＬを検出することができる。さらに、放送受信装置１００は、番組情報内にＵＲＬが挿入されている場合、ＵＲＬが挿入されていることを示すマークを番組表中の番組欄、番組説明、または番組の詳細説明などに表示させる。
【００８７】
これにより、放送受信装置１００は、番組に関する詳細な情報を含むＨＴＭＬファイル、ＢＭＬファイル、映像ストリーム、または音声ストリームにアクセスする為のＵＲＬがあることをユーザに知らせることができる。
【００８８】
このような構成によると、インターネットに接続することができる放送受信装置１００は、番組情報内のＵＲＬを用いて番組の詳細な情報へのブラウジングを実行させることができる。テキスト情報として参照先のＵＲＬの検出手段と属性を指定すること可能とすることにより、放送信号の送り側である送信装置４００の改修を行なう事無く、番組に関するより多様な情報をユーザに提供することができる。この結果、より高い利便性を有する電子機器及び放送信号の送信装置を提供することができる。
【００８９】
なお、放送受信装置１００は、予め設定された設定に基づいて、番組情報中のＵＲＬを文字列として表示させるか否か切り替える構成であってもよい。例えば、ＵＲＬを非表示にするように設定されている場合、放送受信装置１００は、番組情報からＵＲＬを検出し、番組欄、または番組説明のウィンドウなどにＵＲＬが挿入されていることを示すマークを表示させ、文字列としてのＵＲＬを削除する。
【００９０】
またさらに、放送受信装置１００は、リンク先のファイルの種別に応じて異なるマークを表示させる構成であると説明したが、この構成に限定されない。放送受信装置１００は、さらにインターネットへの接続の可否に応じてマークの種類または表示方法を切り替える構成であってもよい。
【００９１】
例えば、放送受信装置１００は、インターネットへの接続の可である場合、各マークを有色で表示させる。また、放送受信装置１００は、インターネットへの接続の不可である場合、各マークをモノクロで表示させる。これにより、放送受信装置１００は、ＵＲＬへのアクセスが可能であるか否かをユーザに知らせることができる。
【００９２】
またさらに、放送受信装置１００は、インターネットへの接続の不可であり、且つＵＲＬへアクセスする操作が入力された場合、放送受信装置１００をインターネットに接続することができるように設定することを促す旨をディスプレイ１３４に表示させる構成であってもよい。
【００９３】
またさらに、放送受信装置１００は、さらにインターネットへの接続の可否に応じて放送受信装置１００と接続されており、且つ、インターネットに接続可能なタブレットなどの携帯端末２００がある場合、マークの種類または表示方法を切り替える構成であってもよい。
【００９４】
またさらに、放送受信装置１００は、インターネットへの接続の不可である場合、番組情報中のＵＲＬの文字列を削除し、番組表または番組説明のウィンドウなどを生成する構成であってもよい。
【００９５】
また、上記した実施形態では、放送受信装置１００は、電子番組表中の各番組欄に、番組情報にＵＲＬが挿入されていることを示すマークを表示させる構成であると説明したが、この構成に限定されない。放送受信装置１００は、操作入力に応じて番組の視聴画面に表示されるミニ番組表の番組欄に上記のマークを表示させる構成であってもよい。
【００９６】
またさらに、放送受信装置１００は、既に録画された番組のリストに上記のマークを表示させる構成であってもよい。
【００９７】
また、上記した実施形態では、放送受信装置１００は、番組表上、番組説明ウィンドウ、または番組指定録画メニューなどの表示中のカラーキーの操作に応じて、検出されたＵＲＬにアクセスする構成であると説明したが、この構成に限定されない。検出されたＵＲＬにアクセスする為の操作は、如何なるものであってもよい。
【００９８】
例えば、放送受信装置１００は、リモートコントローラ１６３のカーソルキー及び決定キーなどの操作に応じて、検出されたＵＲＬにアクセスする構成であってもよい。
【００９９】
さらに、リモートコントローラ１６３にＷＥＢにアクセスする為のキー（ＷＥＢアクセスキー）などが設けられている場合、放送受信装置１００は、リモートコントローラ１６３のＷＥＢアクセスキーの操作に応じて、検出されたＵＲＬにアクセスする構成であってもよい。
【０１００】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１０１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１０２】
１００…放送受信装置、１１３…信号処理モジュール、１２１…音声処理モジュール、１２２…スピーカ、１３１…映像処理モジュール、１３３…表示処理モジュール、１３４…ディスプレイ、１５０…制御モジュール、１５１…ＣＰＵ、１５２…ＲＯＭ、１５３…ＲＡＭ、１５４…不揮発性メモリ、１６１…操作入力モジュール、１６２…受光モジュール、１６３…リモートコントローラ、１７１…ＬＡＮコネクタ、１７２…無線通信モジュール、１７３…ＨＤＭＩ端子、２００…携帯端末、３００…無線通信端末、４００・・・送信装置。
【図１】
2014036419.tif 000003
【図２】
2014036419.tif 000004
【図３】
2014036419.tif 000005
【図４】
2014036419.tif 000006
【図５】
2014036419.tif 000007
【図６】
2014036419.tif 000008